(57)【特許請求の範囲】
【請求項１】
ワイヤレスアクセスノードの動作の方法であって、
許可されたワイヤレスノードにのみデータアクセスが提供されるという指示を送信することと、
データアクセスが許可されていないワイヤレスノードでシグナリングアクセスが利用可能であるという指示を送信することと、
データアクセスが許可されていない要求するワイヤレスノードからシグナリング専用アクセスの要求を受信することと、
前記要求に応答して、前記要求するワイヤレスノードとシグナリング専用交換を行うことと、
を備える方法。
【請求項２】
前記受信することは、前記要求するワイヤレスノードから直接、無線で前記要求を受信することを含む、請求項に１記載の方法。
【請求項３】
前記受信することは、前記要求するワイヤレスノードから直接、無線で前記要求を受信するワイヤレスアクセスノードから直接、無線で前記要求を受信することを含む、請求項に１記載の方法。
【請求項４】
前記受信することは、前記要求するワイヤレスノードから直接、無線で前記要求を受信するワイヤレスアクセスノードからバックホールを介して前記要求を受信することを含む、請求項に１記載の方法。
【請求項５】
ワイヤレスアクセスノード装置であって、
許可されたワイヤレスノードにのみデータアクセスが提供されるという指示を送信するための手段と、
データアクセスが許可されていないワイヤレスノードでシグナリングアクセスが利用可能であるという指示を送信するための手段と、
データアクセスが許可されていない要求するワイヤレスノードからシグナリング専用アクセスの要求を受信するための手段と、
前記要求に応答して、前記要求するワイヤレスノードとシグナリング専用交換を行うための手段と、
を備える装置。
【請求項６】
前記受信することは、前記要求するワイヤレスノードから直接、無線で前記要求を受信することを含む、請求項に５記載の装置。
【請求項７】
前記受信することは、前記要求するワイヤレスノードから直接、無線で前記要求を受信するワイヤレスアクセスノードから直接、無線で前記要求を受信することを含む、請求項に５記載の装置。
【請求項８】
前記受信することは、前記要求するワイヤレスノードから直接、無線で前記要求を受信するワイヤレスアクセスノードからバックホールを介して前記要求を受信することを含む、請求項に５記載の装置。
【請求項９】
ワイヤレスアクセスノード装置であって、
許可されたワイヤレスノードにのみデータアクセスが提供されるという指示を送信するための送信機と、
データアクセスが許可されていないワイヤレスノードでシグナリングアクセスが利用可能であるという指示を送信するための前記送信機と、
データアクセスが許可されていない要求するワイヤレスノードからシグナリング専用アクセスの要求を受信するための受信機と、
前記要求に応答して、前記要求するワイヤレスノードとシグナリング専用交換を行うための協働可能な前記送信機および前記受信機と、
を備える装置。
【請求項１０】
許可されたワイヤレスノードにのみデータアクセスが提供されるという指示を送信することと、
データアクセスが許可されていないワイヤレスノードでシグナリングアクセスが利用可能であるという指示を送信することと、
データアクセスが許可されていない要求するワイヤレスノードからシグナリング専用アクセスの要求を受信することと、
前記要求に応答して、前記要求するワイヤレスノードとシグナリング専用交換を行うことと、
をコンピュータに行わせるためのコードを備えるコンピュータ可読記憶媒体。
【発明の詳細な説明】
【技術分野】
【０００１】
［米国特許法第１１９条に基づく優先権の主張］
本出願は、各々の開示が参照により本明細書に組み込まれる、２００８年１月３１日に出願され、代理人整理番号第０８０３１４Ｐ１号を付与された、同一出願人が所有する米国特許仮出願第６１／０２５，１８６号、２００８年２月１日に出願され、代理人整理番号第０８０７２０Ｐ１号を付与された、米国特許仮出願第６１／０２５，６８０号の利益および優先権を主張する。
【０００２】
本出願は、一般にワイヤレス通信に関し、より詳細には、限定はしないが、通信パフォーマンスを改善することに関する。
【背景技術】
【０００３】
［序論］
ワイヤレス通信システムは、様々なタイプの通信（たとえば、音声、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
従来のモバイル電話ネットワーク（たとえば、マクロセルラーネットワーク）の基地局を補うために、小カバレージ基地局を、たとえば、ユーザの家庭に展開することができる。そのような小カバレージ基地局は、アクセスポイント基地局、ｈｏｍｅ  ＮｏｄｅＢ（またはｈｏｍｅ  ｅＮｏｄｅＢ）あるいはフェムトセルとして一般に知られ、よりロバストな屋内ワイヤレスカバレージをモバイルユニットに与えるために使用できる。一般に、そのような小カバレージ基地局は、ＤＳＬルータまたはケーブルモデムを介してインターネットおよびモバイルオペレータのネットワークに接続される。
【０００５】
典型的なマクロセルラー展開では、無線周波数（「ＲＦ」）カバレージは、カバレージを最適化するためにセルラーネットワークオペレータによって計画され、管理される。そのような展開では、アクセス端末は、概して、それがサービスを聴取する最良の基地局に接続する。ここで、所与のアクセス端末がサービング基地局から受信する信号が、そのアクセス端末が干渉している基地局から受信する信号よりも十分に高くなるようにし、それによって、アクセス端末が適切なサービスを受信することが可能になるように、ＲＦ計画を採用することができる。あまりに高い干渉レベルを受けるアクセス端末を停止状態（outage）にあると定義することができる。
【０００６】
対照的に、小カバレージ基地局の展開はアドホックＲＦとすることができ、これらの基地局のカバレージはモバイルオペレータによって最適化できない。したがって、ＲＦ干渉問題が起こることがある。たとえば、近くの基地局（たとえば、フェムトセル）にアクセスすることが許可されていないモバイルユニットは、その基地局から干渉を受けることがある。したがって、ワイヤレスネットワークのためのネットワーク干渉管理の改善が必要である。
【発明の概要】
【０００７】
本開示の例示的な態様の概要について以下で説明する。本明細書における態様という用語への言及は、本開示の１つまたは複数の態様を指すことがあることを理解されたい。
【０００８】
本開示は、ある態様では、アクセスノードへのおよび／またはそこからのシグナリング専用アクセスを確立することに関する。たとえば、第１のノード（たとえば、アクセスポイント）にアクセスすることが第２のノード（たとえば、アクセス端末）に許可されていない（たとえば、呼またはセッションを確立することを許可されていない）と判断された場合、第１のノードから第２のノードへのシグナリング専用アクセス（たとえば、シグナリング専用ルート）を確立する。
【０００９】
いくつかの態様では、制限されたアクセスポイントからの干渉を管理するためにシグナリングを採用することができる。たとえば、アクセス端末と制限されたアクセスポイントとが、（たとえば、異なるタイムスロットまたは時系列のインターレースを使用することによって送信を直交化することによって）干渉送信を管理するために、制御メッセージを交換する。
【００１０】
本開示は、いくつかの態様では、アクセス（たとえば、データアクセス）が許可されていないノードをページングすることに関する。たとえば、それへのアクセスが許可されていない制限されたアクセスノードをノードが識別したとき、ノードは、ノードが制限されたアクセスノードによってページングされるようにするメッセージを送信することができる。場合によっては、制限されたアクセスノードは、ノードに対して限定されたシグナリングアクセスを許し、その結果、ノードは、制限されたアクセスノードによってページングされることになる。たとえば、ノードは、制限されたアクセスノードに登録することが許される。この場合、制限されたアクセスノードは、登録の結果としてノードをページングする。別の場合、ノードは、ページングを含むサービスを可能にする、何らかの他のタイプのメッセージを制限されたアクセスノードに送信することが許される。したがって、ノードによるそのようなメッセージの送信の結果、ノードは、制限されたアクセスノードによってページングされる。代替的に、ノードは、制限されたアクセスノードによってページングされることをノードが望むことを示すメッセージを、別のノード（たとえば、アクセスが制限されていないアクセスノード）に送信することができる。次いで、他のノードは、ネットワーク中のページングを制御するエンティティ（たとえば、モビリティマネージャ）に、このメッセージを転送する（または別の形態のメッセージを送信する）。次いで、このエンティティは、指定されたページング時間にノードをページングするように、制限されたアクセスノードに命令する。ノードが制限されたアクセスノードによってページングされることを許すことによって、それらのページング時間におけるそのページのノードの受信と潜在的に干渉し得る他のタイプの信号を、制限されたアクセスノードはもはや送信しないので、ノードの指定されたページング時間中の制限されたアクセスノードからの潜在的な干渉を除去することができる。
【００１１】
本開示は、いくつかの態様では、ページングを行うための第１のノードを選択し、アクセスすべき別のノードを選択することに関する。たとえば、第１のノードが第２のノードよりも良いジオメトリに関連する場合、ページングのために第１のノードを選択する。さらに、第２のノードが第１のノードよりも良い、または異なるサービスを提供する場合、アクセスのために第２のノードを選択する。
【００１２】
本開示のこれらおよび他の例示的な態様について、以下の詳細な説明および添付の特許請求の範囲、ならびに添付の図面において説明する。
【図面の簡単な説明】
【００１３】
【図１】通信システムのいくつかの例示的な態様の簡略ブロック図。
【図２】シグナリング専用リンクを確立するために実行される動作のいくつかの例示的な態様のフローチャート。
【図３】ページングおよびアクセスに対して異なるノードを識別するために実行される動作のいくつかの例示的な態様のフローチャート。
【図４】ノードがあるノードからページを受信し、別のノードにアクセスする例示的なシナリオを示す簡略図。
【図５】ノードが制限されたノードによってページングされることを可能にするために実行される動作のいくつかの例示的な態様のフローチャート。
【図６】ワイヤレス通信のためのカバレージエリアを示す簡略図。
【図７】フェムトノードを含むワイヤレス通信システムの簡略図。
【図８】通信構成要素のいくつかの例示的な態様の簡略ブロック図。
【図９】本明細書で教示する、シグナリングを与えるように構成された装置のいくつかの例示的な態様の簡略ブロック図。
【図１０】本明細書で教示する、シグナリングを与えるように構成された装置のいくつかの例示的な態様の簡略ブロック図。
【図１１】本明細書で教示する、シグナリングを与えるように構成された装置のいくつかの例示的な態様の簡略ブロック図。
【詳細な説明】
【００１４】
慣例により、図面中に示される様々な特徴は一定の縮尺で示されていないことがある。したがって、様々な特徴の寸法は、分かりやすいように任意に拡大または縮小されることがある。さらに、図面のいくつかは、分かりやすいように簡略化されることがある。したがって、図面は所与の装置（たとえば、デバイス）または方法の構成要素のすべてを示しているわけではない。最後に、明細書および図の全体にわたって同じ特徴を示すために同じ参照番号が使用されることがある。
【００１５】
本開示の様々な態様について以下で説明する。本明細書の教示が多種多様な形で実施でき、本明細書で開示された特定の構造、機能またはその両方は代表的なものにすぎないことは明らかであろう。本明細書の教示に基づいて、本明細書で開示される態様は他の態様とは独立に実現できること、およびこれらの態様のうちの２つ以上を様々な方法で組み合わせることができることを当業者は理解されたい。たとえば、本明細書に記載の態様をいくつ使用しても、装置を実現し、または方法を実施することができる。さらに、本明細書で説明した態様の１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００１６】
図１に、ワイヤレスノード１０２（たとえば、アクセス端末）がアクセスノード１０４（たとえば、基地局）とアクセスノード１０６（たとえば、基地局）との近くにある、システム１００の例示的な態様を示す。いくつかの状況下では、ワイヤレスノード１０２は、ある方法でアクセスノード１０４と通信し、別の方法でアクセスノード１０６と通信することができる。
【００１７】
ワイヤレスノード１０２は、様々な基準に基づいてノード１０４およびノード１０６とどのように通信するか判断することができる。たとえば、ワイヤレスノード１０２は、ノード１０４およびノード１０６に関連する相対的なジオメトリに基づいて、ノード１０４およびノード１０６のうちの１つからページを受信することを選択する。逆に、ワイヤレスノード１０２は、ノード１０４およびノード１０６によって与えられる相対的なサービスに基づいて、他のノードを介してデータアクセスを得ることを選択することができる。
【００１８】
アクセスノード１０４などのアクセスノードを、（たとえば、ワイヤレスノード１０２ではない）いくつかのアクセス端末のみがアクセスノード１０４へのデータアクセスを許されるように制限することがあり、またはアクセスノード１０４を何らかの他の方法で制限することがある。そのような場合、ノード１０２とノード１０４との間の潜在的な干渉を緩和するために、これらのノード間でシグナリング専用リンクを確立することができる。たとえば、モビリティマネージャ１０８が、アクセスノード１０４にワイヤレスノード１０２をページングさせ、一方、ワイヤレスノード１０２は、アクセスノード１０６を介してネットワークアクセスを得ることができる。別の例として、ノード１０２およびノード１０４は、ノード間干渉を低減するために、（たとえば、送信を直交化することによって）それぞれの送信を制御するためのメッセージを交換するシグナリング専用リンクを確立することができる。
【００１９】
図１に、本明細書の教示による、ワイヤレスノード１０２およびアクセスノード１０４に組み込むことができるいくつかの例示的な構成要素を示す。同様の構成要素をシステム中の他のノード（たとえば、ノード１０６）に組み込むことができることを諒解されたい。ワイヤレスノード１０２およびアクセスノード１０４はそれぞれ、互いと、および他のノードと通信するためのトランシーバ１１０およびトランシーバ１１２を含む。トランシーバ１１０は、信号を送信するための送信機１１４と、信号を受信するための受信機１１６とを含む。トランシーバ１１２は、信号を送信するための送信機１１８と、信号を受信するための受信機１２０とを含む。ノード１０２および１０４はそれぞれ、他のノードへのアクセスを管理するための、および本明細書で教示する他の関連する機能を与えるための許可コントローラ１２２および１２４を含むことができる。ノード１０２および１０４はまた、それぞれ、他のノードとの通信を管理するための、および本明細書で教示する他の関連する機能を与えるための通信コントローラ１２６および１２８を含むことができる。図１に示す他の構成要素について以下の開示で論じる。
【００２０】
次に、システム１００などのシステムの例示的な動作について、図２、図３、および図５のフローチャートに関連してより詳細に扱う。手短に言えば、図２は、ワイヤレスノード間でシグナリング専用リンクを確立することに関連して採用されるいくつかの動作を表す。図３に、あるノードからページングを受信し、別のノードにアクセスすることに関連して採用されるいくつかの動作を表す。図５に、制限されたノードからページを受信するために補足ページングセットを使用することに関連して採用されるいくつかの動作を表す。
【００２１】
便宜上、図２、図３、および図５の動作（または、本明細書で論じるかまたは教示する他の動作）については、特定の構成要素（たとえば、システム１００の構成要素）によって実行されるものとして説明する。ただし、これらの動作は、他のタイプの構成要素によって実行でき、異なる個数の構成要素を使用して実行できることを諒解されたい。また、本明細書で説明する動作の１つまたは複数は、所与の実装形態では採用されない場合があることを諒解されたい。
【００２２】
説明のために、本開示の様々な態様について、１つまたは複数のアクセスノード（たとえば、アクセスノード１０４および１０６）と通信するアクセス端末（たとえば、アクセス端末１０２）の文脈で説明する。ただし、本明細書の教示は、他のタイプの装置、または他の用語を使用して参照される装置に適用可能であることを諒解されたい。
【００２３】
最初に図２を参照すると、ブロック２０２で表されるように、ある時点において、アクセス端末１０２がカバレージの所与のエリア（たとえば、近傍）にあるアクセスノードのセットを発見する。たとえば、アクセス端末１０２が所与の地理的エリアを訪問すると、アクセス端末１０２は、アクセスノード１０４からブロードキャストチャネル上でシグナリングを受信するか、または別のノードからアクセスノード１０４の存在を示す情報を受信する。後者の場合の例として、アクセス端末１０２は、アクセスノード１０４のネイバーであるアクセスノード（たとえば、アクセスノード１０６）からネイバーリストを受信する。
【００２４】
ブロック２０４で表されるように、場合によっては、アクセスノード１０４は、アクセスノード１０４において課される１つまたは複数の制限に関係する１つまたは複数の指示を広告する。たとえば、アクセスノード１０４は、アクセスノード１０４へのアクセスが何らかの方法で制限されることを示す情報を送信（たとえば、ブロードキャスト）する。以下でより詳細に論じるように、制限の１つのタイプは、アクセスノード１０４が指定されたノード（たとえば、アクセス端末）のセットに対してのみデータアクセスを与えることである。いくつかの態様では、アクセスノード１０４は、少なくとも１つのノードへのシグナリング（たとえば、制御メッセージ）、データアクセス、登録、ページング、またはサービスのうちの少なくとも１つを制限する。したがって、様々な実装形態では、アクセスノード１０４は、制限のこれらまたは他のタイプに関係する１つまたは複数の指示を広告することができる。
【００２５】
さらに、該当する場合、アクセスノード１０４におけるデータアクセスまたは何らかの他のアクセスが許可されていないノード（たとえば、アクセス端末）との何らかの形態のシグナリングをアクセスノード１０４が許すことを示す情報を、アクセスノード１０４は送信する。たとえば、アクセスノード１０４は、データアクセスが許可されていないノードから登録要求を受け入れるという指示を送信する。いくつかの態様では、ブロック２０４の動作は、図１に示す許可コントローラ１２４によっておよび／またはそれとともに実行される。
【００２６】
ブロック２０６で表されるように、アクセス端末１０２は、アクセスノード１０４におけるデータアクセスが許可されているかどうかを判断する。この判断は、ブロック２０４で論じるアクセスノード１０４から受信した情報、またはアクセス端末によって維持される他の何らかの他の情報に基づくとすることができる。前者の場合の一例として、アクセス端末１０２は、受信された指示をアクセス識別子１３０のリストと比較して、どのサービスがアクセスノード１０４によって提供されるかを判断するか、または既存の制限を判断する。後者の場合の一例として、アクセス端末１０２は、アクセス端末１０２に対してオープンであるアクセスノードの識別子を含むリスト１３２（たとえば、ホーム基地局のリスト）か、またはアクセス端末１０２に対して制限されているアクセスノードの識別子を含むリスト１３２（たとえば、閉じられた基地局のリスト）を維持する。
【００２７】
ブロック２０８および２１０で表されるように、アクセスノード１０４が制限されていない場合、アクセス端末１０２はアクセスノード１０４に関連付けることを選択する。たとえば、アクセス端末１０２は、アクセス要求（たとえば、登録要求）をアクセスノード１０４に送信し、アクセスノード１０４上でアイドリングを開始する。
【００２８】
場合によっては、ブロック２０８において、アクセス端末１０２によるアクセスが制限されていると判断されたとしても、アクセス端末１０２は、アクセスノード１０４においてアイドリングすることを依然として選ぶことができる。たとえば、アクセスノード１０４から受信された信号の搬送波対干渉波（「Ｃ／Ｉ」）が他のアクセスノードから受信した信号のＣ／Ｉよりも高い場合、アクセス端末１０２は、アクセスノード１０４においてアイドリングすることを選ぶ。いくつかの態様では、アクセスノード１０４においてアイドリングすべきかどうかに関する決定は、アクセスノード１０４がアクセス端末１０２に何らかの形態のシグナリングアクセス（たとえば、ページング）を許可するかどうかに基づく。本明細書で論じるように、アクセスノード１０４におけるデータアクセスがアクセス端末１０２に許可されていない場合に、アクセスノード１０４においてアイドリングしているアクセス端末１０２によって引き起こされる場合がある干渉を緩和するために、そのようなシグナリングが望ましい。いくつかの態様では、ブロック２０６の動作は、図１の許可コントローラ１２２および／またはページングコントローラ１３６によっておよび／またはそれらとともに実行される。
【００２９】
ブロック２１２で表されるように、アクセス端末１０２は、たとえば、アクセスノード１０４へのおよび／またはそこからの１つまたは複数のシグナリング専用リンク（またはルート）を生成するためにアクセス要求を送信することによって、シグナリングのためのアクセスノード１０４にアクセスする。そのような要求は様々な形態をとることができる。たとえば、アクセスノード１０４が、データアクセス権のないノードがアクセスノード１０４に登録することを許す場合、アクセス端末１０２はアクセスノード１０４に登録要求を無線で送信する。
【００３０】
他の場合には、アクセス端末１０２は、アクセス端末１０２がより良いアクセス特権（たとえば、データアクセス）を有する別のネットワークノード（たとえば、アクセスノード１０６）に、アクセス要求を送信する。たとえば、アクセスノード１０６は、アクセス要求をアクセスノード１０４に、バックホールを介して、または無線で（たとえば、プロトコルトンネリングを介して）転送する。場合によっては、アクセス端末１０２は、別のノード（たとえば、アクセスノード１０６）に登録するとともに、アクセスノード１０４とのシグナリング専用アクセスを実行する（たとえば、アクセスノード１０４にアクセス端末１０２をページングさせる）指示を送信することができる。この後者のシナリオの一例について、図５に関連して以下でより詳細に論じる。いくつかの態様では、ブロック２０８の動作は、図１に示す通信コントローラ１２６によってまたはそれとともに実行される。
【００３１】
ブロック２１４で表されるように、アクセスノード１０４（たとえば、許可コントローラ１２４）は、データアクセスがアクセス端末１０２に許可されていないと判断する。たとえば、アクセス要求を受信すると、アクセスノード１０４は、アクセスノード１０４によって維持される許可されたノード１３４のリスト中に要求側ノードＩＤがあるかどうかを判断する。また、アクセスノード１０４は、シグナリング専用アクセス要求を送信するノードにデータアクセスが許可されていないと仮定することができる。
【００３２】
ブロック２１６で表されるように、データアクセスをアクセス端末１０２に許可していないが、（たとえば、許可コントローラ１２４によって）シグナリング専用アクセスをアクセス端末１０２に許可する。したがって、（たとえば、通信コントローラ１２６および１２８の協働によって）ノード１０２とノード１０４との間に１つまたは複数のシグナリング専用リンクを確立する。ここで、前者が許可されていない場合、ノード１０２とノード１０４との間のブロードキャスト交換の代わりにシグナリング交換を可能にするようにシグナリングセットを定義することができる。上述のように、登録要求、アクセス要求、あるいは何らかの他のイベントまたは状況の結果として、そのようなリンクを確立することができる。
【００３３】
シグナリング専用リンクは様々な形態をとることができる。場合によっては、ノード１０２および１０４は、通常のトラフィック（たとえば、シグナリングおよびデータルート）およびシグナリング専用トラフィック（たとえば、シグナリングルート）に対して異なる専用のメッセージを使用する。他の場合には、ノード１０２および１０４は、データ、およびシグナリングトラフィックまたはシグナリング専用トラフィックを搬送するために共通メッセージを採用する。これらの場合、メッセージが通常のトラフィックに関連付けられているのか、またはシグナリングのみに関連付けられているのかを示すために、フィールド（たとえば、ビット）をメッセージ中に定義することができる。場合によっては、特定のタイプのシグナリング（たとえば、ルートがシグナリングのみに対して開かれていることを示す特別な要求）を使用することによってルートを確立する。いくつかの態様では、（たとえば、近傍で聴取されたパイロット信号の強度に基づいて）アクティブセットが管理されるのと同様の方法でシグナリングセットを維持する。さらに、たとえば、無線で、バックホールを介して、（たとえば、制御信号または実際のメッセージとして）レイヤ１またはレイヤ２シグナリングによってなど、様々な方法でシグナリングを交換することができる。
【００３４】
シグナリング専用リンクは様々なタイプの情報を搬送することができる。たとえば、シグナリング専用リンクは、登録情報、サービス要求情報、サービス品質情報、認証情報、リソース予約情報、ハンドオフ要求情報、干渉管理情報、負荷情報、または他のタイプの情報のうちの１つまたは複数を搬送する。
【００３５】
いくつかの態様では、シグナリング専用アソシエーションに関連付けられたセキュリティが、通常のトラフィックに関連付けられたセキュリティと異なることがある。たとえば、制限されたアクセスポイントが、アクセス端末にサービスしていない場合、アクセス端末のフルセッションまたは証明にアクセスすることを制限されたアクセスポイントに許可しない。したがって、アクセス端末を認証するために、シグナリングに様々な暗号手法（たとえば、暗号化）を採用することができる。
【００３６】
ブロック２１８で表されるように、場合によっては、アクセスノード１０４からアクセス端末１０２へのシグナリング専用アクセスが確立される。たとえば、アクセスノード１０４は、モビリティマネージャまたは何らかの他のノード（たとえば、ネイバーアクセスノード）からのページ要求に応答して、アクセス端末１０２をページングする。他のタイプのシグナリングは、たとえば、登録情報、サービス要求情報、サービス品質情報、認証情報、リソース予約情報、ハンドオフ要求情報、干渉管理情報、負荷情報、または何らかの他のタイプの情報のうちの１つまたは複数を含む。
【００３７】
ブロック２２０で表されるように、場合によっては、アクセス端末１０２からアクセスノード１０４へのシグナリング専用アクセスを確立する。たとえば、アクセス端末１０２は、シグナリングをアクセスノード１０４に無線で、またはバックホールを介して（たとえば、アクセスノード１０６を介して）送信する。場合によっては、このシグナリングはアクセス端末１０４に向けられる。このシグナリングは、たとえば、干渉管理情報、サービス品質情報、負荷情報、または何らかの他のタイプの情報のうちの１つまたは複数を含む。
【００３８】
ブロック２２２で表されるように、アクセスノード１０４は受信されたシグナリングを別のノードに転送する。場合によっては、このシグナリングはモビリティマネージャ１０８に向けられる。このシグナリングは、たとえば、登録情報、サービス要求情報、サービス品質設定情報、認証情報、または何らかの他のタイプの情報のうちの１つまたは複数を含む。場合によっては、シグナリングはアクセス端末１０６に向けられる。このシグナリングは、たとえば、登録情報、サービス要求情報、サービス品質設定情報、認証情報、リソース予約情報、ハンドオフ要求情報、干渉管理情報、または何らかの他のタイプの情報のうちの１つまたは複数を含む。
【００３９】
アクセスノード１０４（たとえば、トランシーバ１１２）は、様々な方法で受信されたシグナリングを別のノードに転送することができる。場合によっては、トランシーバ１１２は、シグナリングを送信および受信するために様々な技法を使用する。たとえば、受信機１２０は、第１の周波数帯域および／または第１のタイプの技術を使用してシグナリングを受信する。しかしながら、送信機１１８は、第２の周波数帯域および／または第２のタイプの技術を使用して受信されたシグナリングを別のノードに転送することができる。特定の例として、アクセスノード１０４は、ワイヤレスリンクを介して信号を受信し、（たとえば、異なる搬送波上の）ワイヤレスリンクを介して、または有線リンク（たとえば、電気または光リンク）を介してシグナリングをノードに転送する。したがって、いくつかの態様では、トランシーバ１１２は、ワイヤレスおよび有線接続性をサポートする構成要素を含む。
【００４０】
次に図３を参照すると、上述のように、ノード（たとえば、ワイヤレスノード１０２）は、あるノードとシグナリングを確立し、別のノードにアクセス（たとえば、データアクセス）することができる。例示のために、図３の動作は、アクセス端末１０２があるノードからページを受信し、別のノードにアクセスするシナリオに関連して説明する。本明細書の教示は、他のタイプのシグナリング、他のタイプのアクセス、他のタイプのノード、および他のタイプの通信システムに適用できることを諒解されたい。
【００４１】
あるノードからページを受信し、別のノードにアクセスする決定は様々なファクタに基づくことができる。図２に関連して上述したシナリオでは、アクセス端末１０２がアイドリングしているアクセスノード１０４におけるデータアクセスが、アクセス端末１０２に許可されていない。たとえば、アクセスノード１０４は、以下で説明するように制限されたフェムトまたはピコノードとすることができる。しかしながら、アクセスノード１０４による送信の干渉によりページを失うことを回避するために、アクセス端末１０２は、アクセスノード１０６（たとえば、マクロノード）を介してネットワークアクセス（たとえば、データアクセス）を得ることを選択するが、アクセス端末１０２は、アクセスノード１０４からページを受信することを選択することができる。
【００４２】
図４に別のシナリオを示す。この例では、アクセス端末１０２は、アクセスノード１０６に関連付けられたカバレージエリア４０２内であり、アクセスノード１０４に関連付けられたカバレージエリア４０４内でもある。ここで、アクセスノード１０６（たとえば、マクロノード）は相対的に広いカバレージエリアを与えることができ、アクセスノード１０４（たとえば、フェムトまたはピコノード）はより小さいカバレージエリアを与えることができる。さらに、ノード１０２とノード１０６との間の経路４０６の距離は、ノード１０２とノード１０４との間の経路４０８の距離よりも長いとすることができる。
【００４３】
この場合、アクセス端末１０２は、アクセスノード１０６からページを受信することを選択する一方、アクセスノード１０４にアクセスすることを選択することができる。たとえば、アクセスノード１０６がノード１０４よりも良いジオメトリに関連する（たとえば、アクセスノード１０６が、アクセスノード１０４よりも高いＣ／Ｉを与える）場合、ページングのためにアクセスノード１０６を選択する。
【００４４】
逆に、アクセスノード１０４がアクセスノード１０６よりも良いサービスを提供する、および／またはアクセスノード１０６から利用可能でないサービスを提供する場合、アクセスのためにアクセスノード１０４を選択することができる。たとえば、アクセスノード１０６に比較して、アクセスノード１０４は、より低い経路損失に関連する、より良いスケジューリングを与える（たとえば、スケジュールごとのデータがより多い、スケジュールされる遅延がより短い、スケジュール時間が有利である）、より高いスループットを与える、または何らかの他の方法でより良いサービスを与える。
【００４５】
したがって、図３のブロック３０２において、アクセス端末１０２（たとえば、ページングコントローラ１３６）は、アクセス端末１０２にページングを行うためのノードを識別する。たとえば、アクセス端末１０２が新しいアクセスノードを検出したときはいつでも、そのような動作を実行することができる。上述のように、図２の例では、アクセス端末１０２はページングを行うためのアクセスノード１０４を識別し、図４の例では、アクセス端末１０２はページングを行うためのアクセスノード１０６を識別する。
【００４６】
ブロック３０４で表されるように、アクセス端末１０２がブロック３０２において識別されたノードからページを受信した場合、アクセス端末１０２（たとえば、アクセスコントローラ１４２）はアクセスすべきアクセスノード（たとえば、アクセスノード１０６）を識別する。上述のように、この動作は、アクセスノードによって提供される相対的なサービスに基づく、および／または所与のノードにおけるアクセスがアクセス端末１０２に許可されているかどうかに基づくことができる。したがって、図２の例では、アクセス端末１０２はアクセスノード１０６にアクセスすることを選択し、図４の例では、アクセス端末１０２はアクセスノード１０４にアクセスすることを選択する。
【００４７】
ブロック３０６で表されるように、アクセス端末１０２は、ブロック３０２において識別されたノードからのページを待つ。ここで、いくつかのタイプのアクセスノードは、別のノードがそのアクセスノードによってページングされることを明確に要求しない限り、そのノードをページングすることができないことを諒解されたい。したがって、ブロック３０６において、ネットワークがそうするように構成されると、アクセス端末１０２は識別されたノードからのページの受信を開始することができる。いくつかの態様では、これは、アクセス端末１０２が、（たとえば、登録に関連した）メッセージを識別されたノードに、またはネットワーク中でページングを制御するエンティティ（たとえば、モビリティマネージャ１０８）に送信して、ノードが特定のノード、セル、ゾーン、セクタ、トラッキングエリアなどによってページングされることを望むことをエンティティに通知することによって達成できる。後者の動作の一例について、図５に関連して以下で論じる。
【００４８】
ブロック３０８で表されるように、指定されたアクセスノードからページを受信すると、アクセス端末１０２（たとえば、通信コントローラ１２６）は、ブロック３０４において選択されたアクセスノードにアクセスする。ブロック３１０で表されるように、アクセス端末１０２は、アクセスのために識別されたアクセスノードにもはやアクティブにアクセスしていないと、ブロック３０２においてページングのために識別されたアクセスノード上でアイドリングすることに戻る（たとえば、動作フローがブロック３０６に戻る）、またはアクセス端末１０２は、アクセスに指定されたノード上に残ることを選択する。後者の場合の一例として、ブロック３１２において、アクセス端末１０２は、第２のノード上でページを待って第２のノード上でアイドリングする。ページが受信された場合、アクセス端末１０２は、ブロック３０８において再びアクセスノードにアクセスする。
【００４９】
次に図５を参照しながら、説明のために、制限されたノードにおいてページングを確立する１つの方法に関係する例示的な動作について説明する。（たとえば、上述のように）制限されたノードにおいてページングを確立するために、他の技法を採用することができることを諒解されたい。図５の例では、アクセス端末１０２（たとえば、ページングコントローラ１３６）は、ネットワークによって実装されている標準のページングセット（たとえば、トラッキングエリアベース、ゾーンベース、距離ベース）に加えて使用される、補足（たとえば、提案）ページングセット（「ＳＰＳ」）１３８を維持する。いくつかの態様では、ＳＰＳ１３８は、アクセス端末１０２をページングすることができるエンティティを指定するリストの形態をとる。便宜のために、以下の説明は、アクセスノード識別子（「ＩＤ」）のリストを含むＳＰＳを参照する。ただし、ＳＰＳは他のタイプのエントリ（たとえば、セクタＩＤ、セルＩＤなど）を含むことができることを諒解されたい。
【００５０】
図５のブロック５０２において、アクセス端末１０２は、別のノード（たとえば、データアクセスが許可されていないノード）がそこでページングされることを明確に要求しない限り、そのノードをページングすることができないノード（たとえば、制限されたノード）の存在を発見する。たとえば、アクセスノード１０４（たとえば、そのノードの所与のセクタ）は、アクセスノード１０４が通常その隣接アクセスノードからページ要求を受信（ファンイン）することができない、またはその隣接アクセスノードにページ要求をファンアウトすることができないことを示す、ＳＰＳ関連情報（たとえば、ＳＰＳビット）を広告する。フェムトノードは、この情報を広告することができるアクセスノードの一例である。
【００５１】
いくつかの実装形態では、アクセス端末１０２は、距離、ゾーン、セクタ識別子（「ＳＩＤ」）、またはネットワーク識別子（「ＮＩＤ」）のパラメータ設定の１つまたは複数に基づいてＳＰＳの必要性を推論することができる。そのような実装形態では、アクセスノード１０４は、ＳＰＳビットを無線で送信しない。
【００５２】
ブロック５０４において、アクセスノード１０４のＩＤがまだＳＰＳ１３８中にない場合、アクセス端末１０２は、このＩＤをそのＳＰＳ１３８に追加する。上述のように、場合によっては、アクセスノード１０４をＳＰＳ１３８に追加するという決定は、アクセスノード１０４からのＳＰＳビットなどの指示の受信、アクセスノード１０４をＳＰＳ１３８に追加する必要性の推論、アクセスノード１０４がより高いＣ／Ｉを有するという判断、またはアクセスノード１０４にアクセスすることがアクセス端末１０２に許可されていないという判断のうちの少なくとも１つに基づく。いくつかの態様では、アクセスノード１０４を追加するという決定は、アクセス端末１０２がアクセスノード１０４においてアイドリングするかどうか（たとえば、それが近い将来そうする可能性があるかどうか）に基づく。
【００５３】
アクセス端末１０２は、最も強いアクセスノード（たとえば、アクセスノードのセクタ）をＳＰＳ１３８に常に追加することによって、そのＳＰＳ１３８を維持する。いくつかの態様では、アクセス端末１０２はまた、ＳＰＳ１３８にそのアクセスノードの近隣を追加する。ＳＰＳ１３８が必要でない（たとえば、アクセス端末１０２がマクロノード上でアイドリングしている）場合、マクロノードの近隣は標準のページングルール（たとえば、トラッキングエリアベース、ゾーンベース、距離ベース）に基づいてアクセス端末１０２を自動的にページングすることができるので、それらの近隣をＳＰＳ１３８に追加する必要がない。さらに、アクセス端末１０２は、ホームフェムトノードを聴取することができた場合、ホームフェムトノードをＳＰＳ１３８に自動的に追加する。アクセス端末１０２がそのホームマクロノード（たとえば、そのホームフェムトノードの最も強い近隣であるマクロノード）に現在登録されている場合、アクセス端末１０２はホームフェムトノードをそのＳＰＳ１３８に自動的に追加する。
【００５４】
ＳＰＳ１３８中のエントリの数を管理するために様々なプロビジョンを採用することができる。たとえば、ＳＰＳ１３８に記載されたアクセスノードの信号が、ある時間期間の間弱すぎる（たとえば、アクセスノードに関連する搬送波対干渉波比がしきい値レベルを下回った）ままである場合、アクセスノード（および、随意に、このアクセスノードとともに追加された近隣）はＳＰＳ１３８から削除される。ここで、アクセスノードからの信号が指定されたしきい値を下回ったとき、タイマがカウントを開始し、この条件が当てはまる限り、カウントし続ける。次いで、定義されたカウントに達した場合、アクセスノードはＳＰＳ１３８から削除される。場合によっては、他の場合はＳＰＳ１３８から削除されるアクセスノードを、代わりにＳＰＳ１３８中に保持することができる。たとえば、それが何らかの他のアクセスノードの近隣である（たとえば、それによって、アクセス端末１０２が近い将来、指定されたアクセスノードをおそらく訪問する可能性がある）場合、指定されたアクセスノードはＳＰＳ１３８中に残る。さらに、ＳＰＳ１３８がそのサイズ制限に達した場合、何らかの基準またはしきい値に基づいて１つまたは複数のアクセスノードを削除することができる（たとえば、最も長く稼動しているタイマをもつアクセスノードを削除する）。場合によっては、アクセス端末１０２がＳＰＳビット（または何らかの他の同様の指示）を広告しない新しいアクセスノードに登録したとき、ＳＰＳ１３８からアクセスノードを削除する。場合によっては、アクセス端末１０２が、標準のページングルール（たとえば、トラッキングエリア、ゾーン、距離）によりアクセスノードによってページングされると判断したことに基づいて、ＳＰＳ１３８からアクセスノードを削除する。
【００５５】
次いで、ブロック５０６において、アクセス端末１０２（たとえば、ページングコントローラ１３６）はアクセスノード１０４のＩＤを含むＳＰＳ１３８を、モビリティマネージャ１０８が（たとえば、ＳＰＳ１３８の前の送信によって）この情報をまだ有していない場合、モビリティマネージャ１０８に送信する。いくつかの態様では、ＳＰＳ１３８は登録とともに送信される。たとえば、アクセス端末１０２は、（許されている場合）アクセスノード１０４に、または別のノード（たとえば、アクセスノード１０６）に送信する登録メッセージ中にＳＰＳ１３８を含む。アクセス端末１０２によって検出された最も強いアクセスノード（たとえば、セクタ）がモビリティマネージャ１０８に送信された最後のＳＰＳ１３８中になかったとき、アクセス端末１０２はＳＰＳ１３８をモビリティマネージャ１０８に伝達し、アクセス端末１０２はＳＰＳ機能を利用する必要がある（たとえば、セクタについてのＳＰＳビットが示される）。
【００５６】
いくつかの態様では、アクセス端末１０２は、モビリティマネージャ１０８へのＳＰＳ１３８のその伝達を最適化する。たとえば、アクセス端末１０２は、送信された最後のＳＰＳと現在のＳＰＳとの間の差分をのみ送信する。また、アクセス端末１０２は、明示的に各セルを記載するのではなく、セル（またはセクタ、あるいはアクセスノード）およびゾーン／距離を記載することができる。
【００５７】
モビリティマネージャ１０８においてアクセス端末１０２のＳＰＳ１４０を維持することができる。モビリティマネージャ１０８は、新たに受信されたＳＰＳを使用して、モビリティマネージャ１０８において記憶された現在のＳＰＳ１４０を上書きする。モビリティマネージャ１０８は、たとえば、モビリティマネージャエンティティ（「ＭＭＥ」）、セッション基準ネットワークコントローラ（「ＳＲＮＣ」）、または何らかの他の同様の（１つまたは複数の）エンティティの形態をとることができる。
【００５８】
ブロック５０８において、（たとえば、モビリティマネージャ１０８の制御下の）ネットワークは、ネットワークの標準のページングルール（たとえば、トラッキングエリアベースのルール、ゾーンベースのルール、距離ベースのルール）に従ってアクセス端末１０２をページングするアクセスノードに加えて、ＳＰＳ中に記載されたすべてのアクセスノードにおいてアクセス端末１０２がページングされるようにする。たとえば、ブロック５１０において、アクセスノード１０４は、モビリティマネージャ１０８からページ要求を受信し、その要求によってアクセスノード１０４はアクセス端末１０２をページングする。
【００５９】
いくつかの態様では、ＳＰＳは、どのアクセスノードが近い将来、アクセス端末１０２によって訪問されるかについての予測に関連して展開される。ここで、ネットワークがＳＰＳを受信すると、ネットワークは指定されたアクセスノードにおいてアクセス端末１０２のページングを開始する。したがって、アクセス端末１０２が最後のＳＰＳ中にすでに挙げられたアクセスノード（たとえば、フェムトノード）を訪問するとき、アクセス端末１０２は再び登録する必要はない。したがって、先見的なＳＰＳの使用により、アクセス端末１０２はその登録負荷を低減することができる。
【００６０】
ブロック５１２で表されるように、アクセス端末１０２は、アクセスノード１０４からページを受信する。ページに応答して、アクセス端末１０２は別のアクセスノード（たとえば、上述のアクセスノード１０６）にアクセスすることができる。
【００６１】
上述のように、いくつかの態様では、マクロスケールのカバレージ（たとえば、マクロセルラーネットワーク環境）、およびより小さいスケールのカバレージ（たとえば、宅内または建築物のネットワーク環境）を含むネットワーク中で、本明細書の教示を採用することができる。そのようなネットワークでは、アクセス端末（「ＡＴ」）がそのネットワーク中を移動するとき、アクセス端末は、あるロケーションでは、マクロカバレージを与えるアクセスノード（「ＡＮ」）によってサービスされ、他のロケーションでは、より小さいスケールのカバレージを与えるアクセスノードによってサービスされることがある。いくつかの態様では、より小さいカバレージノードを使用して、増分キャパシティの増大と、屋内カバレージと、（たとえば、よりロバストなユーザ経験のための）様々なサービスとを与えることができる。本明細書での説明では、比較的大きいエリアにわたるカバレージを与えるノードを、マクロノードと呼ぶ。比較的小さいエリア（たとえば、住居）にわたるカバレージを与えるノードを、フェムトノードと呼ぶ。マクロエリアよりも小さく、フェムトエリアよりも大きいエリアにわたるカバレージを与える（たとえば、商業建築物内のカバレージを与える）ノードを、ピコノードと呼ぶ。
【００６２】
マクロノード、フェムトノード、またはピコノードに関連付けられたセルを、それぞれ、マクロセル、フェムトセル、またはピコセルと呼ぶ。いくつかの実装形態では、所与のセルを１つまたは複数のセクタにさらに関連付ける（たとえば、分割する）ことができる。
【００６３】
様々な適用例では、他の用語を使用して、マクロノード、フェムトノード、またはピコノードを参照する。たとえば、マクロノードを、アクセスノード、基地局、アクセスポイント、ｅＮｏｄｅＢ、マクロセルなどとして構成し、またはそのように呼ぶ。また、フェムトノードを、ｈｏｍｅ  ＮｏｄｅＢ、ｈｏｍｅ  ｅＮｏｄｅＢ、アクセスポイント、基地局、フェムトセルなどとして構成し、またはそのように呼ぶ。
【００６４】
図６に、いくつかのトラッキングエリア６０２（またはルーティングエリアまたはロケーションエリア）が画定されたネットワークのカバレージマップ６００の一例を示す。詳細には、トラッキングエリア６０２Ａ、６０２Ｂ、および６０２Ｃに関連付けられたカバレージのエリアは、図６において太線によって示される。
【００６５】
本システムは、たとえば、マクロセル６０４Ａおよび６０４Ｂなど、（６角形で表された）複数のセル６０４を介したワイヤレス通信を行い、各セルは、対応するアクセスノード６０６（たとえば、アクセスノード６０６Ａ〜６０６Ｃ）によってサービスされる。図６に示すように、アクセス端末６０８（たとえば、アクセス端末６０８Ａおよび６０８Ｂ）は、所与の時点においてネットワーク全体にわたって様々な位置に分散される。各アクセス端末６０８は、たとえば、アクセス端末６０８がアクティブかどうか、およびアクセス端末６０８がソフトハンドオフ中かどうかに応じて、所与の瞬間に順方向リンク（「ＦＬ」）および／または逆方向リンク（「ＲＬ」）上で１つまたは複数のアクセスノード６０６と通信することができる。ネットワークは広い地理的領域にわたってサービスを提供する。たとえば、マクロセル６０４は、近隣中の複数のブロックをカバーする。
【００６６】
トラッキングエリア６０２はフェムトカバレージエリア６１０をも含む。この例では、フェムトカバレージエリア６１０の各々（たとえば、フェムトカバレージエリア６１０Ａ）は、マクロカバレージエリア６０４（たとえば、マクロカバレージエリア６０４Ｂ）内に示されている。ただし、フェムトカバレージエリア６１０は、完全にマクロカバレージエリア６０４内にあるわけではないことを諒解されたい。実際問題として、多数のフェムトカバレージエリア６１０を所与のトラッキングエリア６０２またはマクロカバレージエリア６０４内に画定することができる。また、１つまたは複数のピコカバレージエリア（図示せず）を所与のトラッキングエリア６０２またはマクロカバレージエリア６０４内に画定することができる。図６の複雑さを低減するために、数個のアクセスノード６０６、アクセス端末６０８、およびフェムトノード６１０のみを示してある。
【００６７】
フェムトノード環境のための接続性を様々な方法で確立することができる。たとえば、図７に、１つまたは複数のフェムトノードがネットワーク環境内に展開された通信システム７００を示す。特に、システム７００は、比較的小規模のネットワーク環境中に（たとえば、１つまたは複数のユーザ住居７３０中に）設置された複数のフェムトノード７１０（たとえば、フェムトノード７１０Ａおよび７１０Ｂ）を含む。各フェムトノード７１０は、ＤＳＬルータ、ケーブルモデム、ワイヤレスリンク、または他の接続手段（図示せず）を介して、ワイドエリアネットワーク７４０（たとえば、インターネット）およびモバイルオペレータコアネットワーク７５０に結合される。本明細書で論じるように、各フェムトノード７１０は、関連するアクセス端末７２０（たとえば、アクセス端末７２０Ａ）、および、随意に、他のアクセス端末７２０（たとえば、アクセス端末７２０Ｂ）にサービスするように構成できる。言い換えれば、フェムトノード７１０へのアクセスを制限することができ、それによって、所与のアクセス端末７２０を、指定された（１つまたは複数の）（たとえば、ホーム）フェムトノード７１０のセットがサービスすることはできるが、指定されていないフェムトノード７１０（たとえば、ネイバーのフェムトノード７１０）がサービスすることはできない。
【００６８】
フェムトノード７１０の所有者は、たとえば、モバイルオペレータコアネットワーク７５０を介して提供される３Ｇモバイルサービスなど、モバイルサービスに加入することができる。さらに、アクセス端末７２０は、マクロ環境と、より小規模の（たとえば、住居）ネットワーク環境の両方で動作することが可能である。言い換えれば、アクセス端末７２０の現在位置に応じて、アクセス端末７２０は、マクロセルモバイルネットワーク７５０のアクセスノード７６０によって、または、フェムトノード７１０のセット（たとえば、対応するユーザ住居７３０内に常駐するフェムトノード７１０Ａおよび７１０Ｂ）のうちのいずれか１つによってサービスされる。たとえば、加入者は、自宅の外にいるときは標準のマクロアクセスノード（たとえば、ノード７６０）によってサービスされ、自宅の中にいるときはフェムトノード（たとえば、ノード７１０Ｂ）によってサービスされる。ここで、フェムトノード７１０は既存のアクセス端末７２０と後方互換性があることを諒解されたい。
【００６９】
フェムトノード７１０は、単一の周波数上に展開でき、または代替として、複数の周波数上に展開できる。特定の構成に応じて、単一の周波数、あるいは複数の周波数のうちの１つまたは複数が、マクロノード（たとえば、ノード７６０）によって使用される１つまたは複数の周波数と重なることがある。
【００７０】
いくつかの態様では、アクセス端末７２０は、そのような接続性が可能であるときはいつでも、好ましいフェムトノード（たとえば、アクセス端末７２０のホームフェムトノード）に接続するように構成できる。たとえば、加入者のアクセス端末７２０が加入者の住居７３０内にあるときはいつでも、アクセス端末７２０がホームフェムトノード７１０のみと通信することが望ましい。
【００７１】
いくつかの態様では、アクセス端末７２０がマクロセルラーネットワーク７５０内で動作しているが、（たとえば、好ましいローミングリスト中で定義された）その最も好ましいネットワーク上に常駐していない場合、アクセス端末７２０は、ベターシステムリセレクション（「ＢＳＲ」）を使用して、最も好ましいネットワーク（たとえば、好ましいフェムトノード７１０）を探索し続け、ベターシステムリセレクションでは、より良好なシステムが現在利用可能であるかどうかを判断するために利用可能なシステムの周期的なスキャンを行い、その後、そのような好ましいシステムに関連付けようとする。獲得エントリを用いて、アクセス端末７２０は、特定の帯域およびチャネルの探索を制限することができる。たとえば、最も好ましいシステムの探索を周期的に繰り返すことができる。好ましいフェムトノード７１０が発見されると、アクセス端末７２０は、そのカバレージエリア内にキャンプするためにフェムトノード７１０を選択する。
【００７２】
上述のように、いくつかの態様では、フェムトノードなどのアクセスノードを制限することができる。たとえば、所与のフェムトノードが一定のサービスを一定のアクセス端末のみに与えることができる。いわゆる制限（または限定）関連付けを用いた展開では、所与のアクセス端末が、マクロセルモバイルネットワークと、フェムトノードの定義されたセット（たとえば、対応するユーザ住居７３０内に常駐するフェムトノード７１０）とによってのみサービスされる。
【００７３】
いくつかの態様では、（限定加入者グループＨｏｍｅ  ＮｏｄｅＢと呼ばれることもある）制限されたフェムトノードは、制限された準備されたアクセス端末のセットにサービスを与えるノードである。このセットは、必要に応じて、一時的にまたは永続的に拡大できる。いくつかの態様では、限定加入者グループ（「ＣＳＧ」）は、アクセス端末の共通のアクセス制御リストを共有するアクセスノード（たとえば、フェムトノード）のセットとして定義できる。領域中のすべてのフェムトノード（または制限されたすべてのフェムトノード）が動作するチャネルをフェムトチャネルと呼ぶことがある。
【００７４】
したがって、所与のフェムトノードと所与のアクセス端末との間には様々な関係が存在する。たとえば、アクセス端末の観点から、開いたフェムトノードは、制限された関連付けをもたないフェムトノードを指す。制限されたフェムトノードは、何らかの形で制限された（たとえば、関連付けおよび／または登録のために制限された）フェムトノードを指す。ホームフェムトノードは、アクセス端末がアクセスし、その上で動作することを許可されるフェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【００７５】
制限されたフェムトノードの観点から、ホームアクセス端末は、制限されたフェムトノードへのアクセスを許可されるアクセス端末を指す。ゲストアクセス端末は、制限されたフェムトノードへの一時的アクセスをもつアクセス端末を指す。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指す。
【００７６】
便宜上、本明細書の開示では、フェムトノードの文脈で様々な機能について説明する。ただし、ピコノードは、より大きいカバレージエリアに同じまたは同様の機能を与えることができることを諒解されたい。たとえば、所与のアクセス端末に対して、ピコノードを制限すること、ホームピコノードを定義することなどが可能である。
【００７７】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力多出力（「ＭＩＭＯ」）システム、または何らかの他のタイプのシステムを介して確立できる。
【００７８】
ＭＩＭＯシステムは、データ送信用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれることもあるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００７９】
ＭＩＭＯシステムは時分割複信（「ＴＤＤ」）および周波数分割複信（「ＦＤＤ」）をサポートする。ＴＤＤシステムでは、順方向および逆方向リンク伝送が同一周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビーム形成利得を取り出すことが可能になる。
【００８０】
本明細書の教示は、少なくとも１つの他のノードと通信するために様々な構成要素を採用しているノード（たとえば、デバイス）中に組み込むことができる。図８に、ノード間の通信を可能にするために採用できるいくつかの例示的な構成要素を示す。特に、図８に、ＭＩＭＯシステム８００のワイヤレスデバイス８１０（たとえば、アクセスポイント）とワイヤレスデバイス８５０（たとえば、アクセス端末）とを示す。デバイス８１０では、いくつかのデータストリームのトラフィックデータが、データソース８１２から送信（「ＴＸ」）データプロセッサ８１４に供給される。
【００８１】
いくつかの態様では、各データストリームは、それぞれの送信アンテナを介して送信される。ＴＸデータプロセッサ８１４は、符号化データを供給するために、そのデータストリーム用に選択された特定の符号化方式に基づいて、データストリームごとにトラフィックデータをフォーマット化し、符号化し、インタリーブする。
【００８２】
各データストリームの符号化データは、ＯＦＤＭ技法を使用してパイロットデータと多重化される。パイロットデータは、一般に、知られている方法で処理される、知られているデータパターンであり、チャネル応答を推定するために受信機システムで使用される。次いで、各データストリームの多重化されたパイロットデータと符号化データとは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ８３０によって実行される命令によって決定される。データメモリ８３２は、プロセッサ８３０またはデバイス８１０の他の構成要素によって使用されるプログラムコード、データおよび他の情報を記憶する。
【００８３】
次いで、すべてのデータストリームの変調シンボルがＴＸ  ＭＩＭＯプロセッサ８２０に供給され、ＴＸ  ＭＩＭＯプロセッサ８２０はさらに（たとえば、ＯＦＤＭの場合）その変調シンボルを処理する。次いで、ＴＸ  ＭＩＭＯプロセッサ８２０は、ＮＴ個の変調シンボルストリームをＮＴ個のトランシーバ（「ＸＣＶＲ」）８２２Ａ〜８２２Ｔに供給する。いくつかの態様では、ＴＸ  ＭＩＭＯプロセッサ８２０は、データストリームのシンボルと、シンボルが送信されているアンテナとにビーム形成重みを付加する。
【００８４】
各トランシーバ８２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ８２２Ａ〜８２２ＴからのＮＴ個の変調信号は、それぞれ、ＮＴ個のアンテナ８２４Ａ〜８２４Ｔから送信される。
【００８５】
デバイス８５０では、送信された変調信号はＮＲ個のアンテナ８５２Ａ〜８５２Ｒによって受信され、各アンテナ８５２からの受信信号は、それぞれのトランシーバ（「ＸＣＶＲ」）８５４Ａ〜８５４Ｒに供給される。各トランシーバ８５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【００８６】
次いで、受信（「ＲＸ」）データプロセッサ８６０は、特定の受信機処理技法に基づいてＮＲ個のトランシーバ８５４からＮＲ個の受信シンボルストリームを受信し、処理して、ＮＴ個の「検出」シンボルストリームを供給する。次いで、ＲＸデータプロセッサ８６０は、各検出シンボルストリームを復調し、デインターリーブし、復号して、データストリームに対するトラフィックデータを回復する。ＲＸデータプロセッサ８６０による処理は、デバイス８１０におけるＴＸ  ＭＩＭＯプロセッサ８２０およびＴＸデータプロセッサ８１４によって実行される処理を補足するものである。
【００８７】
プロセッサ８７０は、どのプリコーディング行列（以下で論じる）を使用すべきかを定期的に判断する。プロセッサ８７０は、行列インデックス部とランク値部とを備える逆方向リンクメッセージを作成する。データメモリ８７２は、プロセッサ８７０またはデバイス８５０の他の構成要素によって使用されるプログラムコード、データおよび他の情報を記憶する。
【００８８】
逆方向リンクメッセージは、通信リンクおよび／または受信データストリームに関する様々なタイプの情報を備えることができる。次いで、逆方向リンクメッセージは、データソース８３６からいくつかのデータストリームのトラフィックデータをも受信するＴＸデータプロセッサ８３８によって処理され、変調器８８０によって変調され、トランシーバ８５４Ａ〜８５４Ｒによって調整され、デバイス８１０に戻される。
【００８９】
デバイス８１０において、デバイス８５０からの変調信号は、アンテナ８２４によって受信され、トランシーバ８２２によって調整され、復調器（「ＤＥＭＯＤ」）８４０によって復調され、ＲＸデータプロセッサ８４２によって処理されて、デバイス８５０によって送信された逆方向リンクメッセージが抽出される。次いで、プロセッサ８３０は、ビーム形成重みを決定するためにどのプリコーディング行列を使用すべきかを判断し、次いで、抽出されたメッセージを処理する。
【００９０】
図８はまた、通信構成要素が、本明細書で教示するシグナリング制御動作を実行する１つまたは複数の構成要素を含むことができることを示す。たとえば、シグナリング制御構成要素８９０は、デバイス８１０のプロセッサ８３０および／または他の構成要素と協働して、本明細書で教示する別のデバイス（たとえば、デバイス８５０）との間で信号を送信／受信することができる。同様に、シグナリング制御構成要素８９２は、デバイス８５０のプロセッサ８７０および／または他の構成要素と協働して、別のデバイス（たとえば、デバイス８１０）との間で信号を送信／受信することができる。各デバイス８１０および８５０について、記載の構成要素の２つ以上の機能が単一の構成要素によって提供できることを諒解されたい。たとえば、単一の処理構成要素がシグナリング制御構成要素８９０およびプロセッサ８３０の機能を提供し、単一の処理構成要素がシグナリング制御構成要素８９２およびプロセッサ８７０の機能を提供することができる。
【００９１】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用できる。たとえば、本明細書の教示は、符号分割多元接続（「ＣＤＭＡ」）システム、多重キャリアＣＤＭＡ（「ＭＣＣＤＭＡ」）、Ｗｉｄｅｂａｎｄ  ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、単一搬送波ＦＤＭＡ（「ＳＣ−ＦＤＭＡ」）システム、直交周波数分割多元接続（「ＯＦＤＭＡ」）システム、または他の多元接続技法の技術のいずれか１つまたは組合せに適用される。本明細書の教示を使用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（「ＵＴＲＡ」）、ｃｄｍａ２０００、または何らかの他の技術などの無線技術を実装することができる。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（「ＧＳＭ（登録商標）」）などの無線技術を実装することができる。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（「ＵＭＴＳ」）の一部である。本明細書の教示は、３ＧＰＰ  Ｌｏｎｇ  Ｔｅｒｍ  Ｅｖｏｌｕｔｉｏｎ（「ＬＴＥ」）システム、Ｕｌｔｒａ−Ｍｏｂｉｌｅ  Ｂｒｏａｄｂａｎｄ（「ＵＭＢ」）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用できることを理解されたい。
【００９２】
本明細書の教示は、様々な装置（たとえば、ノード）に組み込む（たとえば、装置内に実装する、または装置によって実行する）ことができる。たとえば、本明細書で論じるアクセスノード（たとえば、マクロノード、フェムトノード、またはピコノード）は、アクセスポイント（「ＡＰ」）、基地局（「ＢＳ」）、ノードＢ、無線ネットワークコントローラ（「ＲＮＣ」）、ｅＮｏｄｅＢ、基地局コントローラ（「ＢＳＣ」）、送受信基地局（「ＢＴＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語などとして構成し、またはそのように呼ぶ。
【００９３】
さらに、本明細書で論じるアクセス端末は、移動局、ユーザ機器、加入者ユニット、加入者局、リモート局、リモート端末、ユーザ端末、ユーザエージェント、またはユーザデバイスと呼ばれることがある。いくつかの実装形態では、そのようなノードは、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスからなる、それらの中に実装される、またはそれらを含むことができる。
【００９４】
したがって、本明細書で教示する１つまたは複数の態様は、様々なタイプの装置からなる、それらの中に実装される、またはそれらを含むことができる。そのような装置は、電話（たとえば、セルラー電話、スマートフォン）、コンピュータ（たとえば、ラップトップ）、携帯型通信デバイス、携帯型コンピューティングデバイス（たとえば、個人情報端末）、娯楽デバイス（たとえば、音楽またはビデオデバイス、あるいは衛星ラジオ）、全地球測位システムデバイス、あるいはワイヤレス媒体を介して通信するように構成される他の好適なデバイスを備えることができる。
【００９５】
上述のように、いくつかの態様では、ワイヤレスノードは通信システムのためのアクセスデバイス（たとえば、アクセスポイント）を備えることができる。たとえば、そのようなアクセスノードは、有線またはワイヤレス通信リンクを介した、ネットワーク（たとえば、インターネットまたはセルラーネットワークなど広域ネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。また、ワイヤレスノード（たとえば、ワイヤレスデバイス）はまた、有線の方式で適切な通信インターフェース（たとえば、有線接続）を介して情報を送信および／または受信することができることを諒解されたい。
【００９６】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で論じる様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用することができる。同様に、ワイヤレスノードは、様々な対応する変調方式または多重化方式のうちの１つまたは複数をサポートあるいは使用することができる。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができる。たとえば、ワイヤレスノードは、ワイヤレス媒体による通信を可能にする様々な構成要素（たとえば、信号発生器および信号処理器）を含む関連する送信機構成要素および受信機構成要素（たとえば、送信機１１４と１１８、および送信機１１６と１２０）をもつワイヤレストランシーバを備えることができる。
【００９７】
本明細書で説明した構成要素は、様々な方法で実装することができる。図９〜図１１を参照すると、装置９００、１０００および１１００は一連の相互に関連する機能ブロックとして表される。いくつかの態様では、これらのブロックの機能は、１つまたは複数のプロセッサ構成要素を含む処理システムとして実装できる。いくつかの態様では、これらのブロックの機能は、たとえば、１つまたは複数の集積回路（たとえば、ＡＳＩＣ）の少なくとも一部を使用して実装できる。本明細書で論じるように、集積回路は、プロセッサ、ソフトウェア、他の関連した構成要素、またはそれらの何らかの組合せを含むことができる。これらのブロックの機能は、本明細書で教示する方法とは別の何らかの方法で実装することもできる。いくつかの態様では、図９〜図１１の１つまたは複数の破線ブロックは任意の機能に関する。
【００９８】
装置９００、１０００および１１００は、様々な図に関して上述した１つまたは複数の機能を実行することができる１つまたは複数のモジュールを含むことができる。たとえば、受信手段９０２は、たとえば、本明細書で論じる受信機１２０に対応することがある。データアクセス許可判断手段９０４は、たとえば、本明細書で論じる許可コントローラ１２４に対応することがある。シグナリング専用アクセス許可手段９０６は、たとえば、本明細書で論じる許可コントローラ１２４に対応することがある。送信手段９０８は、たとえば、本明細書で論じる送信機１１８に対応することがある。指示広告手段９１０は、たとえば、本明細書で論じる許可コントローラ１２４に対応することがある。データアクセス許可判断手段１００２は、たとえば、本明細書で論じる許可コントローラ１２２に対応することがある。アクセス手段１００４は、たとえば、本明細書で論じる通信コントローラ１２６に対応することがある。受信手段１００６は、たとえば、本明細書で論じる受信機１１６に対応することがある。ページングノード識別手段１１０２は、たとえば、本明細書で論じるページングコントローラ１３６に対応することがある。ページ受信手段１１０４は、たとえば、本明細書で論じる受信機１１６に対応することがある。アクセスノード識別手段１１０６は、たとえば、本明細書で論じるアクセスコントローラ１４２に対応することがある。アクセス手段１１０８は、たとえば、本明細書で論じる通信コントローラ１２６に対応することがある。登録手段１１１０は、たとえば、本明細書で論じる通信コントローラ１２６に対応することがある。
【００９９】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、１組の要素は１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはそれらの任意の組合せ」を意味する。
【０１００】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１０１】
さらに、本明細書で開示された態様に関して説明した様々な例示的な論理ブロック、モジュール、プロセッサ、手段、回路、およびアルゴリズムステップのいずれかは、電子ハードウェア（たとえば、ソース符号化または何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じると解釈すべきではない。
【０１０２】
本明細書で開示した態様に関して説明した様々な例示的な論理ブロック、モジュールおよび回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【０１０３】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示するものであり、提示された特定の順序または階層に限定されるものではない。
【０１０４】
説明した機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などの無線技術を使用してウェブサイト、サーバ、または他のリモートソースから送信される場合、同軸ケーブル、光ファイバケーブル、ツイストペア、ＤＳＬ、または赤外線、無線およびマイクロ波などの無線技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。要約すると、コンピュータ可読媒体は任意の好適なコンピュータプログラム製品に実装できることを諒解されたい。
【０１０５】
開示された態様の前述の説明は、当業者が本開示を実施または使用できるようにするために提供されるものである。これらの態様への様々な変更は当業者には容易に明らかとなり、本明細書で定義した一般原理は、本開示の範囲から逸脱することなく他の態様に適用できる。したがって、本開示は、本明細書に示された態様に限定されるものではなく、本明細書に開示された原理および新規の特徴に一致する最も広い範囲を与えられるべきものである。
以下に本件出願当初の特許請求の範囲に記載された発明を付記する。
［Ｃ１］ワイヤレス通信の方法であって、
ノードからアクセス要求を受信することと、
前記ノードにデータアクセスが許可されていないと判断することと、
前記判断に基づいて前記ノードにシグナリング専用アクセスを許可することと、
前記判断に基づいてシグナリングを前記ノードに無線で送信することと
を備える方法。
［Ｃ２］前記送信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ１に記載の方法。
［Ｃ３］前記ノードからシグナリングを無線で受信することをさらに備える、Ｃ１に記載の方法。
［Ｃ４］前記シグナリングが基地局において受信され、
前記受信されたシグナリングが前記基地局に向けられる、
Ｃ３に記載の方法。
［Ｃ５］前記受信されたシグナリングが、干渉管理情報、サービス品質情報、および負荷情報からなるグループのうちの少なくとも１つを備える、Ｃ４に記載の方法。
［Ｃ６］前記受信されたシグナリングをモビリティマネージャに送信することをさらに備える、Ｃ３に記載の方法。
［Ｃ７］前記受信されたシグナリングが、登録情報、サービス要求情報、サービス品質設定情報、および認証情報からなるグループのうちの少なくとも１つを備える、Ｃ６に記載の方法。
［Ｃ８］前記シグナリングが基地局において受信され、前記方法が、前記受信されたシグナリングを別の基地局に送信することをさらに備える、Ｃ３に記載の方法。
［Ｃ９］前記基地局が、第１の周波数帯域および第１のタイプの技術を使用して前記受信されたシグナリングを受信し、
前記基地局が、第２の周波数帯域および第２のタイプの技術を使用して前記受信されたシグナリングを前記別の基地局に送信する、
Ｃ８に記載の方法。
［Ｃ１０］前記受信されたシグナリングが、登録情報、サービス要求情報、サービス品質設定情報、認証情報、リソース予約情報、ハンドオフ要求情報、および干渉管理情報からなるグループのうちの少なくとも１つを備える、Ｃ８に記載の方法。
［Ｃ１１］前記受信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ３に記載の方法。
［Ｃ１２］前記アクセス要求が、前記ノードからネットワークノードを介して受信される、Ｃ１に記載の方法。
［Ｃ１３］前記アクセス要求が、前記ノードから無線で受信される、Ｃ１に記載の方法。
［Ｃ１４］少なくとも１つのノードへのシグナリング、データアクセス、登録、ページング、およびサービスからなるグループのうちの少なくとも１つが提供されないことを示すために制限の指示を広告することをさらに備える、Ｃ１に記載の方法。
［Ｃ１５］データアクセスを許可されていないノードから登録要求を受け入れるという指示を広告することをさらに備える、Ｃ１に記載の方法。
［Ｃ１６］前記シグナリングがフェムトノードまたはピコノードによって送信される、Ｃ１に記載の方法。
［Ｃ１７］前記ノードがアクセス端末を備える、Ｃ１に記載の方法。
［Ｃ１８］ワイヤレス通信のための装置であって、
ノードからアクセス要求を受信するように構成された受信機と、
前記ノードにデータアクセスが許可されていないと判断するように構成され、前記判断に基づいて前記ノードにシグナリング専用アクセスを許可するようにさらに構成された許可コントローラと、
前記判断に基づいてシグナリングを前記ノードに無線で送信するように構成された送信機と
を備える装置。
［Ｃ１９］前記送信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ１８に記載の装置。
［Ｃ２０］前記受信機が、前記ノードからシグナリングを無線で受信するようにさらに構成された、Ｃ１８に記載の装置。
［Ｃ２１］前記装置が基地局であり、
前記受信されたシグナリングが前記基地局に向けられ、
前記受信されたシグナリングが、干渉管理情報、サービス品質情報、および負荷情報からなるグループのうちの少なくとも１つを備える、
Ｃ２０に記載の装置。
［Ｃ２２］前記送信機が、前記受信されたシグナリングをモビリティマネージャに送信するようにさらに構成され、
前記受信されたシグナリングが、登録情報、サービス要求情報、サービス品質設定情報、および認証情報からなるグループのうちの少なくとも１つを備える、
Ｃ２０に記載の装置。
［Ｃ２３］前記装置が基地局であり、
前記受信機が、第１の周波数帯域および第１のタイプの技術を使用して前記受信されたシグナリングを受信するようにさらに構成され、
前記送信機が、第２の周波数帯域および第２のタイプの技術を使用して前記受信されたシグナリングを別の基地局に送信するようにさらに構成された、
Ｃ２０に記載の装置。
［Ｃ２４］前記装置が基地局であり、
前記送信機が、前記受信されたシグナリングを別の基地局に送信するようにさらに構成され、
前記受信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ２０に記載の装置。
［Ｃ２５］前記受信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ２０に記載の装置。
［Ｃ２６］前記許可コントローラが、少なくとも１つのノードへのシグナリング、データアクセス、登録、ページング、およびサービスからなるグループのうちの少なくとも１つが提供されないことを示すために制限の指示の広告を行うようにさらに構成された、Ｃ１８に記載の装置。
［Ｃ２７］前記許可コントローラが、データアクセスを許可されていないノードから登録要求を受け入れるという指示の広告を行うようにさらに構成された、Ｃ１８に記載の装置。
［Ｃ２８］前記装置がフェムトノードまたはピコノードである、Ｃ１８に記載の装置。
［Ｃ２９］ワイヤレス通信のための装置であって、
ノードからアクセス要求を受信するための手段と、
前記ノードにデータアクセスが許可されていないと判断するための手段と、
前記判断に基づいて前記ノードにシグナリング専用アクセスを許可するための手段と、 前記判断に基づいてシグナリングを前記ノードに無線で送信するための手段と
を備える装置。
［Ｃ３０］前記送信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ２９に記載の装置。
［Ｃ３１］受信するための前記手段が、前記ノードからシグナリングを無線で受信するように構成された、Ｃ２９に記載の装置。
［Ｃ３２］前記装置が基地局であり、
前記受信されたシグナリングが前記基地局に向けられ、
前記受信されたシグナリングが、干渉管理情報、サービス品質情報、および負荷情報からなるグループのうちの少なくとも１つを備える、
Ｃ３１に記載の装置。
［Ｃ３３］送信するための前記手段が、前記受信されたシグナリングをモビリティマネージャに送信するように構成され、
前記受信されたシグナリングが、登録情報、サービス要求情報、サービス品質設定情報、および認証情報からなるグループのうちの少なくとも１つを備える、
Ｃ３１に記載の装置。
［Ｃ３４］前記装置が基地局であり、
受信するための前記手段が、第１の周波数帯域および第１のタイプの技術を使用して前記受信されたシグナリングを受信するようにさらに構成され、
送信するための前記手段が、第２の周波数帯域および第２のタイプの技術を使用して前記受信されたシグナリングを別の基地局に送信するように構成された、
Ｃ３１に記載の装置。
［Ｃ３５］前記装置が基地局であり、
送信するための前記手段が、前記受信されたシグナリングを別の基地局に送信するように構成され、
前記受信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ３１に記載の装置。
［Ｃ３６］前記受信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ３１に記載の装置。
［Ｃ３７］少なくとも１つのノードへのシグナリング、データアクセス、登録、ページング、およびサービスからなるグループのうちの少なくとも１つが提供されないことを示すために制限の指示を広告するための手段をさらに備える、Ｃ２９に記載の装置。
［Ｃ３８］データアクセスを許可されていないノードから登録要求を受け入れるという指示を広告するための手段をさらに備える、Ｃ２９に記載の装置。
［Ｃ３９］前記装置がフェムトノードまたはピコノードである、Ｃ２９に記載の装置。
［Ｃ４０］ノードからアクセス要求を受信することと、
前記ノードにデータアクセスが許可されていないと判断することと、
前記判断に基づいて前記ノードにシグナリング専用アクセスを許可することと、
前記判断に基づいてシグナリングを前記ノードに無線で送信することと
をコンピュータに行わせるためのコードを備える、コンピュータ可読媒体
を備える、コンピュータプログラム製品。
［Ｃ４１］前記送信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ４０に記載のコンピュータプログラム製品。
［Ｃ４２］前記コンピュータ可読媒体が、前記ノードからシグナリングを無線で受信することを、前記コンピュータに行わせるためのコードをさらに備える、Ｃ４０に記載のコンピュータプログラム製品。
［Ｃ４３］前記シグナリングが基地局において受信され、
前記受信されたシグナリングが前記基地局に向けられ、
前記受信されたシグナリングが、干渉管理情報、サービス品質情報、および負荷情報からなるグループのうちの少なくとも１つを備える、
Ｃ４２に記載のコンピュータプログラム製品。
［Ｃ４４］前記コンピュータ可読媒体が、前記受信されたシグナリングをモビリティマネージャに送信することを、前記コンピュータに行わせるためのコードをさらに備え、
前記受信されたシグナリングが、登録情報、サービス要求情報、サービス品質設定情報、および認証情報からなるグループのうちの少なくとも１つを備える、
Ｃ４２に記載のコンピュータプログラム製品。
［Ｃ４５］前記シグナリングが基地局において受信され、
前記コンピュータ可読媒体が、第１の周波数帯域および第１のタイプの技術を使用して前記受信されたシグナリングを受信することを、前記コンピュータに行わせるためのコードをさらに備え、
前記コンピュータ可読媒体が、第２の周波数帯域および第２のタイプの技術を使用して前記受信されたシグナリングを別の基地局に送信することを、前記コンピュータに行わせるためのコードをさらに備える、
Ｃ４２に記載のコンピュータプログラム製品。
［Ｃ４６］前記シグナリングが基地局において受信され、
前記コンピュータ可読媒体が、前記受信されたシグナリングを別の基地局に送信することを、前記コンピュータに行わせるためのコードをさらに備え、
前記受信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ４２に記載のコンピュータプログラム製品。
［Ｃ４７］前記受信されたシグナリングが、登録情報、サービス要求情報、サービス品質情報、認証情報、リソース予約情報、ハンドオフ要求情報、干渉管理情報、および負荷情報からなるグループのうちの少なくとも１つを備える、Ｃ４２に記載のコンピュータプログラム製品。
［Ｃ４８］前記コンピュータ可読媒体が、少なくとも１つのノードへのシグナリング、データアクセス、登録、ページング、およびサービスからなるグループのうちの少なくとも１つが提供されないことを示すために制限の指示を広告することを、前記コンピュータに行わせるためのコードをさらに備える、Ｃ４０に記載のコンピュータプログラム製品。
［Ｃ４９］前記コンピュータ可読媒体が、データアクセスを許可されていないノードから登録要求を受け入れるという指示を広告することを、前記コンピュータに行わせるためのコードをさらに備える、Ｃ４０に記載のコンピュータプログラム製品。
［Ｃ５０］前記シグナリングがフェムトノードまたはピコノードによって送信される、Ｃ４０に記載のコンピュータプログラム製品。
［Ｃ５１］ワイヤレス通信の方法であって、
第２のノードにおけるデータアクセスが第１のノードに許可されていないと判断することと、
前記第１のノードにデータアクセスが許可されていないという前記判断に基づいて、シグナリングのために前記第２のノードにアクセスすることと
を備える方法。
［Ｃ５２］前記第２のノードにアクセスすることが、前記第２のノードにシグナリング専用アクセス要求を送信することを備える、Ｃ５１に記載の方法。
［Ｃ５３］前記第２のノードにアクセスすることが、ネットワークノードを介して前記第２のノードにアクセス要求を送信することを備える、Ｃ５１に記載の方法。
［Ｃ５４］前記第２のノードにアクセスすることが、アクセス要求を無線で前記第２のノードに送信することを備える、Ｃ５１に記載の方法。
［Ｃ５５］前記判断に基づいて前記第２のノードとのシグナリング専用リンクを確立することをさらに備える、Ｃ５１に記載の方法。
［Ｃ５６］別のノードと通信することをさらに備え、前記シグナリング専用リンクが前記通信の結果として確立される、Ｃ５５に記載の方法。
［Ｃ５７］前記第２のノードにアクセスすることが、前記シグナリングを無線で前記第２のノードに送信することを備える、Ｃ５１に記載の方法。
［Ｃ５８］前記送信されたシグナリングが前記第２のノードに向けられる、Ｃ５７に記載の方法。
［Ｃ５９］前記送信されたシグナリングが、干渉管理情報、サービス品質情報、および負荷情報からなるグループのうちの少なくとも１つを備える、Ｃ５８に記載の方法。
［Ｃ６０］前記送信されたシグナリングがモビリティマネージャに向けられる、Ｃ５７に記載の方法。
［Ｃ６１］前記送信されたシグナリングが、登録情報、サービス要求情報、サービス品質設定情報、および認証情報からなるグループのうちの少なくとも１つを備える、Ｃ６０に記載の方法。
［Ｃ６２］前記第２のノードが基地局を備え、
前記送信されたシグナリングが別の基地局に向けられる、
Ｃ５７に記載の方法。
［Ｃ６３］前記送信されたシグナリングが、登録情報、サービス要求情報、サービス品質設定情報、認証情報、リソース予約情報、ハンドオフ要求情報、および干渉管理情報からなるグループのうちの少なくとも１つを備える、Ｃ６２に記載の方法。
［Ｃ６４］前記第２のノードが、少なくとも１つのノードへのシグナリング、データアクセス、登録、ページング、およびサービスからなるグループのうちの少なくとも１つを提供しないように制限されていることを示す指示を、前記第２のノードから無線で受信することをさらに備える、Ｃ５１に記載の方法。
［Ｃ６５］前記第２のノードによって提供されるサービスを判断するために、前記指示をアクセス識別子のリストと比較することをさらに備える、Ｃ６４に記載の方法。
［Ｃ６６］前記第２のノードにアクセスすることが、前記第２のノードがデータアクセスを許可されていないノードから登録要求を受け入れるという判断に基づいて前記第２のノードに登録することを備える、Ｃ５１に記載の方法。
［Ｃ６７］前記第２のノードがフェムトノードまたはピコノードを備える、Ｃ５１に記載の方法。
［Ｃ６８］前記フェムトノードまたは前記ピコノードが、少なくとも１つのノードへのシグナリング、データアクセス、登録、ページング、およびサービスからなるグループのうちの少なくとも１つを提供しないように制限される、Ｃ６７に記載の方法。
［Ｃ６９］前記第２のノードが基地局を備える、Ｃ５１に記載の方法。
［Ｃ７０］ワイヤレス通信のための装置であって、
第２のノードにおけるデータアクセスが第１のノードに許可されていないと判断するように構成された許可コントローラと、
前記第１のノードにデータアクセスが許可されていないという前記判断に基づいて、シグナリングのために前記第２のノードにアクセスするように構成された通信コントローラと
を備える装置。
［Ｃ７１］前記第２のノードにアクセスすることが、アクセス要求をネットワークノードを介して前記第２のノードに送信することを備える、Ｃ７０に記載の装置。
［Ｃ７２］前記第２のノードにアクセスすることが、アクセス要求を無線で前記第２のノードに送信することを備える、Ｃ７０に記載の装置。
［Ｃ７３］前記通信コントローラが、前記判断に基づいて前記第２のノードとのシグナリング専用リンクを確立するようにさらに構成され、
前記通信コントローラが、別のノードと通信するようにさらに構成され、
前記シグナリング専用リンクが前記通信の結果として確立される、
Ｃ７０に記載の装置。
［Ｃ７４］前記第２のノードにアクセスすることが、前記シグナリングを無線で前記第２のノードに送信することを備える、Ｃ７０に記載の装置。
［Ｃ７５］前記送信されたシグナリングが前記第２のノードに向けられ、
前記送信されたシグナリングが、干渉管理情報、サービス品質情報、および負荷情報からなるグループのうちの少なくとも１つを備える、
Ｃ７４に記載の装置。
［Ｃ７６］前記送信されたシグナリングがモビリティマネージャに向けられ、
前記送信されたシグナリングが、登録情報、サービス要求情報、サービス品質設定情報、および認証情報からなるグループのうちの少なくとも１つを備える、
Ｃ７４に記載の装置。
［Ｃ７７］前記第２のノードが基地局を備え、
前記送信されたシグナリングが別の基地局に向けられ、
前記送信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ７４に記載の装置。
［Ｃ７８］前記第２のノードが、少なくとも１つのノードへのシグナリング、データアクセス、登録、ページング、およびサービスからなるグループのうちの少なくとも１つを提供しないように制限されていることを示す指示を前記第２のノードから無線で受信するように構成された受信機をさらに備える、Ｃ７０に記載の装置。
［Ｃ７９］前記許可コントローラが、前記第２のノードによって提供されるサービスを判断するために、前記指示をアクセス識別子のリストと比較するようにさらに構成された、Ｃ７８に記載の装置。
［Ｃ８０］前記第２のノードにアクセスすることが、前記第２のノードがデータアクセスを許可されていないノードから登録要求を受け入れるという判断に基づいて前記第２のノードに登録することを備える、Ｃ７０に記載の装置。
［Ｃ８１］前記第２のノードがフェムトノードまたはピコノードを備える、Ｃ７０に記載の装置。
［Ｃ８２］前記フェムトノードまたは前記ピコノードが、少なくとも１つのノードへのシグナリング、データアクセス、登録、ページング、およびサービスからなるグループのうちの少なくとも１つを提供しないように制限される、Ｃ８１に記載の装置。
［Ｃ８３］ワイヤレス通信のための装置であって、
第２のノードにおけるデータアクセスが第１のノードに許可されていないと判断するための手段と、
前記第１のノードがデータアクセスを許可されていないという前記判断に基づいて、シグナリングのために前記第２のノードにアクセスするための手段と
を備える装置。
［Ｃ８４］前記第２のノードにアクセスすることが、アクセス要求をネットワークノードを介して前記第２のノードに送信することを備える、Ｃ８３に記載の装置。
［Ｃ８５］前記第２のノードにアクセスすることが、アクセス要求を無線で前記第２のノードに送信することを備える、Ｃ８３に記載の装置。
［Ｃ８６］アクセスするための前記手段が、前記判断に基づいて前記第２のノードとのシグナリング専用リンクを確立するように構成され、
アクセスするための前記手段が、別のノードと通信するようにさらに構成され、
前記シグナリング専用リンクが前記通信の結果として確立される、
Ｃ８３に記載の装置。
［Ｃ８７］前記第２のノードにアクセスすることが、前記シグナリングを無線で前記第２のノードに送信することを備える、Ｃ８３に記載の装置。
［Ｃ８８］前記送信されたシグナリングが前記第２のノードに向けられ、
前記送信されたシグナリングが、干渉管理情報、サービス品質情報、および負荷情報からなるグループのうちの少なくとも１つを備える、
Ｃ８７に記載の装置。
［Ｃ８９］前記送信されたシグナリングがモビリティマネージャに向けられ、
前記送信されたシグナリングが、登録情報、サービス要求情報、サービス品質設定情報、および認証情報からなるグループのうちの少なくとも１つを備える、
Ｃ８７に記載の装置。
［Ｃ９０］前記第２のノードが基地局を備え、
前記送信されたシグナリングが別の基地局に向けられ、
前記送信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ８７に記載の装置。
［Ｃ９１］前記第２のノードが、少なくとも１つのノードへのシグナリング、データアクセス、登録、ページング、およびサービスからなるグループのうちの少なくとも１つを提供しないように制限されていることを示す指示を、前記第２のノードから無線で受信するための手段をさらに備える、Ｃ８３に記載の装置。
［Ｃ９２］判断するための前記手段が、前記第２のノードによって提供されるサービスを判断するために、前記指示をアクセス識別子のリストと比較するように構成された、Ｃ９１に記載の装置。
［Ｃ９３］前記第２のノードにアクセスすることが、前記第２のノードがデータアクセスを許可されていないノードから登録要求を受け入れるという判断に基づいて前記第２のノードに登録することを備える、Ｃ８３に記載の装置。
［Ｃ９４］前記第２のノードがフェムトノードまたはピコノードを備える、Ｃ８３に記載の装置。
［Ｃ９５］前記フェムトノードまたは前記ピコノードが、少なくとも１つのノードへのシグナリング、データアクセス、登録、ページング、およびサービスからなるグループのうちの少なくとも１つを提供しないように制限される、Ｃ９４に記載の装置。
［Ｃ９６］第２のノードにおけるデータアクセスが第１のノードに許可されていないと判断することと、
前記第１のノードにデータアクセスが許可されていないという前記判断に基づいて、シグナリングのために前記第２のノードにアクセスすることと
をコンピュータに行わせるためのコードを備える、コンピュータ可読媒体
を備える、コンピュータプログラム製品。
［Ｃ９７］前記第２のノードにアクセスすることが、アクセス要求をネットワークノードを介して前記第２のノードに送信することを備える、Ｃ９６に記載のコンピュータプログラム製品。
［Ｃ９８］前記第２のノードにアクセスすることが、アクセス要求を無線で前記第２のノードに送信することを備える、Ｃ９６に記載のコンピュータプログラム製品。
［Ｃ９９］前記コンピュータ可読媒体が、前記判断に基づいて前記第２のノードとのシグナリング専用リンクを確立することを、前記コンピュータに行わせるためのコードをさらに備え、 
前記コンピュータ可読媒体が、別のノードと通信することを、前記コンピュータに行わせるためのコードをさらに備え、
前記シグナリング専用リンクが前記通信の結果として確立される、
Ｃ９６に記載のコンピュータプログラム製品。
［Ｃ１００］前記第２のノードにアクセスすることが、前記シグナリングを無線で前記第２のノードに送信することを備える、Ｃ９６に記載のコンピュータプログラム製品。
［Ｃ１０１］前記送信されたシグナリングが前記第２のノードに向けられ、
前記送信されたシグナリングが、干渉管理情報、サービス品質情報、および負荷情報からなるグループのうちの少なくとも１つを備える、
Ｃ１００に記載のコンピュータプログラム製品。
［Ｃ１０２］前記送信されたシグナリングがモビリティマネージャに向けられ、
前記送信されたシグナリングが、登録情報、サービス要求情報、サービス品質設定情報、および認証情報からなるグループのうちの少なくとも１つを備える、
Ｃ１００に記載のコンピュータプログラム製品。
［Ｃ１０３］前記第２のノードが基地局を備え、
前記送信されたシグナリングが別の基地局に向けられ、
前記送信されたシグナリングが、登録情報、サービス要求情報、サービス品質設定情報、認証情報、リソース予約情報、ハンドオフ要求情報、および干渉管理情報からなるグループのうちの少なくとも１つを備える、
Ｃ１００に記載のコンピュータプログラム製品。
［Ｃ１０４］前記コンピュータ可読媒体が、前記第２のノードが、少なくとも１つのノードへのシグナリング、データアクセス、登録、ページング、およびサービスからなるグループのうちの少なくとも１つを提供しないように制限されていることを示す指示を前記第２のノードから無線で受信することを、前記コンピュータに行わせるためのコードをさらに備える、Ｃ９６に記載のコンピュータプログラム製品。
［Ｃ１０５］前記コンピュータ可読媒体が、前記第２のノードによって提供されるサービスを判断するために、前記指示をアクセス識別子のリストと比較することを、前記コンピュータに行わせるためのコードをさらに備える、Ｃ１０４に記載のコンピュータプログラム製品。
［Ｃ１０６］前記第２のノードにアクセスすることが、前記第２のノードがデータアクセスを許可されていないノードから登録要求を受け入れるという判断に基づいて前記第２のノードに登録することを備える、Ｃ９６に記載のコンピュータプログラム製品。
［Ｃ１０７］前記第２のノードがフェムトノードまたはピコノードを備える、Ｃ９６に記載のコンピュータプログラム製品。
［Ｃ１０８］前記フェムトノードまたは前記ピコノードが、少なくとも１つのノードへのシグナリング、データアクセス、登録、ページング、およびサービスからなるグループのうちの少なくとも１つを提供しないように制限される、Ｃ１０７に記載のコンピュータプログラム製品。
【図１】
0005431563.tif 000002
【図２】
0005431563.tif 000003
【図３】
0005431563.tif 000004
【図４】
0005431563.tif 000005
【図５】
0005431563.tif 000006
【図６】
0005431563.tif 000007
【図７】
0005431563.tif 000008
【図８】
0005431563.tif 000009
【図９】
0005431563.tif 000010
【図１０】
0005431563.tif 000011
【図１１】
0005431563.tif 000012